(57)【要約】【課題】物を切断するはさみに他の機能例えばナイフ用刃又は、孔を開けるためのヤリ状刃などを複合したはさみの刃にして、ペットボトルなどの廃棄処理の空ボトルに切り口の孔をあけてはさみをさし込んでこま切れに出来るはさみにすること。【解決の手段】刃１と柄２のついた２枚の刃物体３が双方の刃１をかみ合わせるようにした物を切るはさみで、これらのいずれか１枚の刃物体３の刃１の同一面に、ヤリ状刃５を具備したり、又は刃物体３の刃１の裏面にナイフ刃４などを刃物を複合する構成にする。【選択図】  図１
2006255357.tif 000002
【特許請求の範囲】
【請求項１】
刃（１）と柄（２）のついた２枚の刃物体（３）が、双方の刃（１）をかみ合わせるようにして物を切るはさみにおいて、いずれか１枚の刃物体（３）の刃（１）の裏面に外向きにナイフ刃（４）を具備したことを特徴とするはさみ。
【請求項２】
刃（１）と柄（２）のついた２枚の刃物体（３）が、双方の刃（１）をかみ合わせるようにして物を切るはさみにおいて、いずれかの１枚の刃物体（３）の刃（１）の同一面に先端鋭角状のヤリ状刃（５）を設けることで、その１枚の刃物体（３）に一体化する柄（２）に押し圧と回動によってヤリ状刃（５）が物に孔あけ可能にしたことを特徴とするはさみ。
【請求項３】
請求項１でのナイフ刃（４）を１枚の刃物体（３）に設け、他の１枚に請求項２でのヤリ状刃（５）を具備したことを特徴とするはさみ。
【請求項４】
請求項２．３でのヤリ状刃（５）をもつ１枚の刃物体（３）と他の１板の刃物体（３）との双方が略９０度のはさみ角（  ）開成体をもってヤリ状刃（５）の刃物体（３）が他の１枚の刃物体（３）の柄（２）に近接してストッパー（６）を設けることで、ヤリ状刃（５）の刃物体（３）をそのストッパー（６）がホールド自在にしたことを特徴とするはさみ。
【請求項５】
請求項２．３．４でのヤリ状刃（５）をもつ刃物体（３）の柄（２）の端部（７）がフラット面にしたことを特徴とするはさみ。
【発明の詳細な説明】
【技術分野】
【０００１】この発明は、刃と柄のついた２枚の刃物体が支点を介して一対でなり、夫々の刃物体の刃をかみ合わせるようにして物を切るはさみに関し、詳しくは、これらのはさみの刃物体に他の機能を複合したはさみに関する。
【背景技術】
【０００２】此の種の従来の技術として、図６で示すように一般的に知られているはさみは刃１’と柄２’のついた２枚の刃物体３’がそれぞれ支点３ａで可動自在に一対で構成し、それぞれの刃１’をかみ合わせるようにして物を切るはさみが古くから知られる。【０００３】これらの手持ちの金属製刃のついたはさみは、使用目的によって刃１’の形状や柄２’の形状を異にしている。そして、これらのはさみは金属類の板物を切断するものや園芸用の小枝を切るものから靴類の皮材、ビニール材などを切るもの、紙や髪の切断と数多くの切断手段として古くから用いられている。
【発明の開示】
【発明が解決しようとする課題】
【０００４】しかしながら、上記する従来技術の場合、物を切断するためのはさみが主流で紙細工などで切断した紙が厚いため、又は硬い為にはさみで切断が出来ないことでカッターナイフなどに切替なければならないなどの他の用具を必要とするなどの課題がある。【０００５】そして、こま切れなどと併用して直線に切断する場合などはさみの他にカッターナイフなどの刃物を調達しなければならないなどの課題がある。【０００６】そしてまた、ソフトドリンクでのペットボトルの使い捨ての際には、廃棄処分するのに、そのままポリ袋に詰め込んで搬送、保管するなどで、必要以上のスペースをとることで、これらのペットボトルの処分にはさみでこま切れに切断して小容積で家庭のゴミ回収することが強く要望されていた。【０００７】しかしながら上記するペットボトルのこま切れ切断には、ナイフなどでペットボトルをこじいて切り口孔を開けてからはさみを使って切り口孔から切込み、こま切れにしなければならないなどの課題がある。
【課題を解決するための手段】
【０００８】この発明はかかる課題を解決するために、請求項１での発明は図１で述べるように、刃１と柄２のついた２枚の刃物体３が双方の刃１をかみ合わせるようにして物を切るはさみの、いずれかの１枚の刃物体３の刃１の裏面に外向にナイフ刃４を設けた構成ではさみの切断のほかナイフとして切込みの出来る２ウェイのはさみ構成である。
の着脱によって行われている。【０００９】次に請求項２での発明は、図２で述べるように物を切るはさみのいずれかの１枚の刃物体３の刃１の同一面に先端鋭角状にヤリ状刃５を設け、その刃物体３についている柄２に押し圧と回動によって物に孔をあけ可能にした２ウェイのはさみ構成である。【００１０】次に請求項３での発明は、図３で述べるように物を切るはさみの１枚の刃物体３にはナイフ刃４を設け、他の１枚の刃物体３には先端鋭角状刃５を設けた３つの機能を備えたはさみの構成である。【００１１】次に請求項４での発明は、図４で述べるように前記する先端鋭角状のヤリ状刃５をもつ１枚の刃物体３と他方の１枚の刃物体３との双方が略９０度のはさみ角  開成体で、ヤリ状刃５の刃物体３が、他方の１枚の刃物体３の柄２と近接してストッパー６を設けて、ヤリ状刃５の刃物体３をホールド可能構成でのはさみである。【００１２】また次に請求項５での発明は、図５で述べるように、前記する先端鋭角状のヤリ状刃５を設けてなる刃物体３の柄２の端部７をフラット面の形状に構成するはさみである。
【発明の効果】
【００１３】本発明は、上述の通り構成作用するので次の優れた効果を奏する。即ち、第１実施例で述べるように２枚の刃物体一対で構成するはさみの１枚の刃のついた裏面にナイフ刃をつけることで、物を切るのにはさみを閉じたままで柄を握ってナイフ式に物の切断の出来るはさみを提供出来る。【００１４】次にまた、第２実施例においては、２枚の刃物体一対で構成するはさみの１枚の刃にその同一面にヤリ状刃を設けることでペットボトルの廃棄処分するのにヤリ状刃をつきさして、キリ状に孔をこじ開け、その開口する孔にはさみの先をさし込んでペットボトルをこま切れに切断が出来るペットボトルの容積をコンパクトにして処分の出来るはさみを提供出来る。【００１５】また第３実施例においては、第１と第２の実施例で述べる通りナイフ刃で物の切断が出来更に、切り口のない平面からはさみでの切断の出来るはさみを提供出来る。【００１６】次にまた、第４実施例においては、ペットボトルなどの廃棄ペットボトルの細切れ切断に、切り口をつくるのにヤリ状刃をボトル面にさし込んで、きりもみ式に孔を開け加工作業時に片方の刃のついた刃物体ががたついて加工をじゃますることのない、双方の刃が大きく、開成体のままホールドの出来るストッパーの具備したはさみを提供出来る。【００１７】また、ヤリ状刃でのこじ開け作業時に、平面体に切り口をつくるのにヤリ状刃の先端を差し込む作業で、柄の端部を素手を使って柄をじかにたたきやすいフラット面を具備したはさみを提供出来る。
【発明を実施するための最良の形態】
【００１８】以下に図示の実施例に基づいて本発明を更に詳細に説明する。即ち図１は本発明での第１実施例に基づく全体を示す斜視図であるが、２枚の刃１がそれぞれ支点３ａを介して重ね係合し、それぞれの刃１と一体化する柄２に指先をさし込んで動かし双方の刃１同志をかみ合わせるようにして物を切るが、これらの１枚の刃物体３にナイフ切りの出来るナイフ刃４を刃１の裏面に外向けに具備した構成にする。【００１９】そして、これらのナイフ刃４は紙などを直線切りや折畳んで切込むなどの際に、柄２を閉成体のまま握って従来のナイフと同じ方法で切断の出来る両機能をもつはさみにしている。【００２０】次に図２は本発明での第２実施例に基づく全体を示す斜視図で、２枚の刃物体３の１枚のいずれかの刃１と同一面上に先端鋭角状のヤリ状刃５を設けたもので、これらのヤリ状刃５は、ペットボトルの廃棄処分の空ボトルを細切れに切断するために、空ボトル平面体にヤリ状刃５を強くさし込み、きりもみ式に柄を握って左右に回しながら、孔を拡大し、それらの孔にはさみの刃先をさし込んで切り込み自由にした構成にする。【００２１】次に図３は本発明での第３実施例に基づく全体を示す斜視図で、２枚の刃物体３の双方にそれぞれナイフ用のナイフ刃４を１枚の刃１の裏面に設け、更に片方の刃物体３の刃１面の同一面に先端鋭角状のヤリ状刃５を具備した構成にすることで、紙の切断をはさみで加工し、紙の直線上の切込みはカッター式にナイフ刃４で加工し、更にはペットボトルの細切れ加工の３加工の機能をもつはさみの構成にしている。【００２２】次に図４は本発明での第４実施例に基づく全体を示す斜視図で、ヤリ状刃５での平面体の切り口のない切断には平面体にヤリ状刃５をさし込み、きりもみ式に切り込んだ孔を大きく開口するのに、片方の刃物体３ががたついて双方の刃１がかち合うのを防止するのための片方の刃物体３を開口した状態で約９０度での開成体で、ヤリ状刃５が片方の刃１のついた刃物体３の柄２の近くに具備するストッパー６にホールドする構成にする。【００２３】これらのホールド手段は本実施例では片方の刃物体３の柄２の成形品を一体化したスリット６ａの隙間にヤリ状刃５が開成体時にはさみ込まれ、スナップの弾発力でホールドを自在にした構成であるが、他のホールド機構でも達成可能であり、スナップ方式に限定するものでない。【００２４】次に図２．３．４は本発明での第５実施例に基づく全体を示す斜視図で、前記発明での図示に複合するが、ヤリ状刃５での平面体への孔あけ、きりもみ孔の拡大からはさみ切断のための切り口の加工時に、硬い平面体や、差しにくい面体へのさし込み時に、片手で刃物体３を軽く押え、片方の素手をヤリ状刃５のついた刃物体３の柄２の端部７をたたける状態に柄２の端部７がフラット面にした構成である。【００２５】即ち、これらの片手の素手をじかに柄２の端部７をたたいてヤリ状刃５を平面体に差し込むのに柄の端部７が尖った状態は危険であることを防止することが出来る。
【図面の簡単な説明】
【００２６】
【図１】本発明に係わる第１実施例での全体を示す斜視図である。図中（ａ）はＡ−Ａ断面図を示す。
【図２】本発明に係わる第２実施例での全体を示す斜視図である。図中（ｂ）はＢ−Ｂ断面図を示す。
【図３】本発明に係わる第３実施例での全体を示す斜視図である。
【図４】本発明に係わる第４実施例での全体を示す斜視図である。
【図５】本発明に係わる第４実施例での使用例での斜視図である。
【図６】従来技術でのはさみを示す全体斜視図である。
【符合の説明】
【００２７】  １．１’  刃
２．２’  柄
３．３’  刃物体
４        ナイフ刃
５        ヤリ刃状
６        ストッパー
７        端部
【図１】
2006255357.tif 000003
【図２】
2006255357.tif 000004
【図３】
2006255357.tif 000005
【図４】
2006255357.tif 000006
【図５】
2006255357.tif 000007
【図６】
2006255357.tif 000008